(57)【要約】【課題】  カフ帯による腕の表皮部分の巻き込みを有効に防止できる血圧計を提供する。【解決手段】  血圧計本体２の腕挿入穴３の下部に腕置き台１０が設けられ、上記腕挿入穴３の内部に阻血袋１１を保持したカフ帯１２が配置され、このカフ帯１２の両端部１２ａは、腕置き台１０の両側を通って、血圧計本体２の下部に設けられた自動巻き取り機構１３に連結されているとともに、上記腕置き台１０とカフ帯１２との間の腕挿入穴３には、腕を挿入するためのカフリング４が配置されている血圧計１であって、上記カフリング４または腕置き台１０に、腕置き台１０よりも円周方向に長い可撓性の補助シート１４が取付けられている。【選択図】  図２
2005237427.tif 000002
【特許請求の範囲】
【請求項１】
血圧計本体の腕挿入穴の下部に腕置き台が設けられ、上記腕挿入穴の内部に阻血袋を保持したカフ帯が配置され、このカフ帯の両端部は、腕置き台の両側を通って、血圧計本体の下部に設けられた自動巻き取り機構に連結されているとともに、上記腕置き台とカフ帯との間の腕挿入穴には、腕を挿入するためのカフリングが配置されている血圧計であって、
上記カフリングまたは腕置き台に、腕置き台よりも円周方向に長い可撓性の補助シートが取付けられていることを特徴とする血圧計。
【請求項２】
上記カフリングに袋状収納部が形成されて、この袋状収納部に上記補助シートが収納されていることを特徴とする請求項１記載の血圧計。
【請求項３】
上記補助シートのカフ帯側の縁部に、平面視で凹凸部が形成されていることをことを特徴とする請求項１または２記載の血圧計。
【発明の詳細な説明】
【技術分野】
【０００１】
本発明は、カフ帯による腕の表皮部分の巻き込みを有効に防止できる血圧計に関する。
【背景技術】
【０００２】
従来、阻血袋を保持したカフ帯の一端部を腕置き台に固定するとともに、他端部を巻き取り機構に連結して、カフ帯を自動巻き取りする血圧計がある（例えば、特許文献１参照）。
【０００３】
また、カフ帯による腕の表皮部分の巻き込みを防止するために、折り返し部材の挿入側の測定部位側を覆うカバー部材を設けた手巻き式の血圧計がある（例えば、特許文献２参照）。
【特許文献１】特許第２３３４８１号公報
【特許文献２】実開平２−３７６０５号公報
【発明の開示】
【発明が解決しようとする課題】
【０００４】
しかしながら、特許文献１のような自動巻き取り機構を有する血圧計では、カフ帯を自動巻き取り機構で巻き取る際に、腕の表皮部分が巻き取り中のカフ帯に引っ張られて、腕置き台の側部との間に巻き込まれるおそれがある。
【０００５】
本発明は、上記問題を解消するためになされたもので、カフ帯による腕の表皮部分の巻き込みを有効に防止できる血圧計を提供することを課題とするものである。
【課題を解決するための手段】
【０００６】
上記課題を解決するために、請求項１の発明は、血圧計本体の腕挿入穴の下部に腕置き台が設けられ、上記腕挿入穴の内部に阻血袋を保持したカフ帯が配置され、このカフ帯の両端部は、腕置き台の両側を通って、血圧計本体の下部に設けられた自動巻き取り機構に連結されているとともに、上記腕置き台とカフ帯との間の腕挿入穴には、腕を挿入するためのカフリングが配置されている血圧計であって、
上記カフリングまたは腕置き台に、腕置き台よりも円周方向に長い可撓性の補助シートが取付けられていることを特徴とするものである。
【０００７】
請求項２の発明は、請求項１記載の血圧計であって、上記カフリングに袋状収納部が形成されて、この袋状収納部に上記補助シートが収納されていることを特徴とするものである。
【０００８】
請求項３の発明は、請求項１または２記載の血圧計であって、上記補助シートのカフ帯側の縁部に、平面視で凹凸部が形成されていることをことを特徴とするものである。
【発明の効果】
【０００９】
請求項１の発明によれば、カフリングに腕を挿入して腕置き台に腕を置いた状態で、カフ帯の両端部を自動巻き取り機構で巻き取ると、阻血袋がカフリングを介して腕に巻き付けられながら、腕がカフリングを介して腕置き台に押し付けられるようになる。このとき、腕置き台よりも円周方向に長い可撓性の補助シートは、巻き取りに従って幅が狭まるカフ帯に押されることで円周方向の両端部分が起き上がって、カフリングに挿入した腕の両側をカバーするようになる。これにより、腕の表皮部分が巻き取り中のカフ帯に引っ張られて、カフリングとともに腕置き台の側部との間に巻き込まれることを未然に防止できるようになる。
【００１０】
請求項２の発明によれば、カフリングの袋状収納部に補助シートを収納しているから、補助シートがカフリングから脱落したり、補助シートの取付け位置がずれるという不具合が起こらなくなる。
【００１１】
請求項３の発明によれば、補助シートの縁部に凹凸部を形成したから、巻き取り中のカフ帯に補助シートの縁部が接触しても、接触するのは凸部だけとなって接触面積が少なくなるので、カフ帯の巻き取り抵抗が低減して、自動巻き取り機構がモータ等で駆動されて電池を電源とするような場合には、電力の消耗を抑制できるようになる。
【発明を実施するための最良の形態】
【００１２】
以下、本発明を実施するための最良の形態について、図面を参照しながら詳細に説明する。
【００１３】
図１は血圧計１の斜視図である。この血圧計１は、家庭用としてコンパクトかつシンプルに構成したものであって、ボックス状の血圧計本体２には、前後方向に貫通する腕挿入穴３が形成されて、この腕挿入穴３には、腕を挿入するための柔軟な筒状カフリング４が配置されている。このカフリング４は、例えばポリエチレン等の布地製である。
【００１４】
上記血圧計本体２の上部には、開始・終了用スイッチ５と緊急排気用スイッチ６とが設けられ、前部には表示パネルの開き用ボタン７が設けられ、側部にはヒンジで開閉可能な表示パネル８が設けられている。この表示パネル８は、図示の開き位置から矢印ａの方向に閉じ操作すると、血圧計本体２の側部の凹部２ａに嵌め込まれる閉じ位置に収納されてロックされるようになり、上記開き用ボタン７を押すと、ロックが解除されて開き位置に開き操作できるようになる。
【００１５】
上記血圧計本体２の内部には、具体的に図示しないがポンプ、排気弁、圧力センサー等が設けられ、これらは、後述する阻血袋１１に対して空気を給排するための配管で接続されるとともに、制御部によって作動タイミングが制御されるようになる。
【００１６】
図２（ａ）は図１のＡ−Ａ線断面図、図２（ｂ）は図１のＢ−Ｂ線断面図である。上記血圧計本体２の腕挿入穴３の下部には、正面視で略Ｔ字状の腕置き台１０が設けられ、この腕置き台１０の上面は、上記腕挿入穴３の曲率に沿った曲面に形成されている。この腕置き台１０は、例えばＡＢＳ樹脂等の硬い成型品である。
【００１７】
上記腕挿入穴３の内部には、上部に阻血袋１１を保持したカフ帯１２が配置され、このカフ帯１２の両端部１２ａは、腕置き台１０の両側を通って、血圧計本体２の下部に設けられた巻き取りドラム（自動巻き取り機構）１３に連結されている。上記カフ帯１２は、例えば可撓性のプラスチックシートであって、阻血袋１１の保持部分は、阻血袋１１の膨出を抑制するクリップ板を兼ねている。
【００１８】
上記巻き取りドラム１３は、血圧計本体２内にセットした市販の乾電池を電源とする電動モータ（不図示）で正逆駆動されるようになっていて、正転時には矢印ｂ方向に回転してカフ帯１２を巻き取り、逆転時には矢印ｃ方向に回転してカフ帯１２を巻き戻すようになる。
【００１９】
上記カフリング４は、上記腕置き台１０とカフ帯１２との間の配置されて、前端リング部４ａが腕挿入穴３の入口内部３ａに係止され、後端リング部４ｂが腕挿入穴３の出口内部３ｂに係止されて、腕挿入穴３の内周囲を覆うようになる。
【００２０】
上記カフリング４の外面下部には、上記腕置き台１０の上面に対向して、腕置き台１０の上面よりも円周方向に長い長方形状の可撓性補助シート１４が接着等によって取付けられている（図５参照）。この補助シート１４は、厚みが０．５ｍｍ程度のＰＥＴ（ポリエチレンテレフタレート）シートが好適であるが、ばね性を有する金属シートであっても良い。なお、図４に示すように、上記補助シート１４は、腕置き台１０の上面に接着やねじ止め等によって取付けても良い。
【００２１】
上記構成であれば、血圧計本体２の腕挿入穴３のカフリング４に腕を挿入して腕置き台１０に腕を置いた状態で、開始・終了用スイッチ５をオンすると、巻き取りドラム１３が正転されてカフ帯１２の両端部１２ａが巻き取られ、阻血袋１１がカフリング４を介して腕に巻き付けられながら、腕がカフリング４を介して腕置き台１０に押し付けられるようになる。
【００２２】
このとき、腕置き台１０よりも円周方向に長い可撓性の補助シート１４は、図３（ａ）（ｂ）に示すように、巻き取りに従って幅が狭まるカフ帯１２に押されることで円周方向の両端部分１４ａが起き上がって（矢印ｄ参照）、カフリング４に挿入した腕Ｍ１，Ｍ２の両側をカバーするようになる。これにより、腕Ｍ１，Ｍ２の表皮部分が巻き取り中のカフ帯１２に引っ張られて、カフリング４とともに腕置き台１０の側部との間に巻き込まれることを未然に防止できるようになる。
【００２３】
図３（ａ）は太い腕Ｍ１の例、図３（ｂ）は細い腕Ｍ２の例であって、太い腕Ｍ１であっても細い腕Ｍ２であっても、補助シート１４の両端部分１４ａが各腕Ｍ１，Ｍ２に倣って（フィットして）起き上がるので、いずれの場合であっても巻き込まれることがない。
【００２４】
そして、阻血袋１１が腕Ｍ１，Ｍ２に所定の巻き付け力で巻き付けられると、ポンプから配管を介して阻血袋１１に空気が供給されて、阻血袋１１が所定の圧力に達するまで腕を圧迫して動脈を阻血し、圧力センサーで所定の圧力に達したことが確認されると、ポンプを停止し、排気弁により一定速度で減圧するように阻血袋１１の空気が排出される。その後、巻き取りドラム１３が逆転されてカフ帯１２が巻き戻されるようになる。
【００２５】
上記阻血袋１１の圧迫時に動脈の脈波成分をフィルター等により抽出して、所定のアルゴリズムを用いて血圧値を算出し、その結果を表示パネル８で表示するようになる。
【００２６】
上記実施形態では、補助シート１４をカフリング４の外面に接着したが、図６に示すように、カフリング４の外面に、三方を縫着した袋状収納部（ポケット）１５を設けて、この袋状収納部１５に補助シート１４を差し込んで収納するようにしても良い。この場合、袋状収納部１５に補助シート１４を収納した後に、入口部分を点状に縫着して、補助シート１４が抜けないようにすることが好ましい。
【００２７】
このように、カフリング４の袋状収納部１５に補助シート１４を収納すれば、接着する場合と比べて、補助シート１４がカフリング４から脱落したり、補助シート１４の取付け位置がずれるという不具合が起こらなくなる。
【００２８】
また、図７に示すように、補助シート１４をカフリング４の外面に当てがい、その上からシート１６を当てがって、カフリング４とシート１６とを補助シート１４の外輪郭に沿って縫着ｆすれば、補助シート１４の取付け位置のずれが全く生じなくなる。なお、補助シート１４をカフリング４の外面に当てがって、補助シート１４をカフリング４に直接縫着することも可能である。
【００２９】
図８に示すように、上記補助シート１４は、長方形状であって、カフ帯１３側の縁部１４ｂは真っ直ぐに形成されているから、矢印ｅで示す巻き取り中のカフ帯１２に補助シート１４の縁部１４ｂの全体が接触するので、カフ帯１２の巻き取り抵抗が増加する。
【００３０】
そこで、図９に示すように、上記補助シート１４のカフ帯１２側の縁部１４ｂに、平面視で凹凸部１４ｃを形成することが好ましい。
【００３１】
これにより、巻き取り中のカフ帯１２に接触するのは、凹凸部１４ｃの内の凸部だけとなって接触面積が少なくなるので、カフ帯１２の巻き取り抵抗が低減して、巻き取りドラム１３を駆動する電動モータ（不図示）用の乾電池の電力の消耗を抑制できるようになる。
【００３２】
上記実施形態では、上腕を測定部位としてが、手首を測定部位とすることもできる。
【図面の簡単な説明】
【００３３】
【図１】血圧計の斜視図である。
【図２】（ａ）は図１のＡ−Ａ線断面図、（ｂ）は図１のＢ−Ｂ線断面図である。
【図３】（ａ）（ｂ）は、それぞれ腕の太さによる補助シートの起きあがり状態の断面図である。
【図４】補助シートを取付けた腕置き台の斜視図である。
【図５】補助シートを接着したカフリングの斜視図である。
【図６】袋状収納部を有するカフリングの斜視図である。
【図７】（ａ）は補助シートを外輪郭に沿って縫着したカフリングの斜視図、（ｂ）は（ａ）のＣ−Ｃ線断面図である。
【図８】（ａ）は縁部が真っ直ぐの補助シートとカフ帯との関係を示す斜視図、（ｂ）は補助シートの平面図である。
【図９】（ａ）は縁部が凹凸の補助シートとカフ帯との関係を示す斜視図、（ｂ）は補助シートの平面図である。
【符号の説明】
【００３４】
１      血圧計
２      血圧計本体
３      腕挿入穴
４      カフリング
１０    腕置き台
１１    阻血袋
１２    カフ帯
１２ａ  両端部
１３    巻き取りドラム（巻き取り機構）
１４    補助シート
１４ｂ  端部
１４ｃ  凹凸部
１５    袋状収納部
【図１】
2005237427.tif 000003
【図２】
2005237427.tif 000004
【図３】
2005237427.tif 000005
【図４】
2005237427.tif 000006
【図５】
2005237427.tif 000007
【図６】
2005237427.tif 000008
【図７】
2005237427.tif 000009
【図８】
2005237427.tif 000010
【図９】
2005237427.tif 000011
【手続補正書】
【提出日】平成17年3月17日(2005.3.17)
【手続補正１】
【補正対象書類名】明細書
【補正対象項目名】０００３
【補正方法】変更
【補正の内容】
【０００３】
また、カフ帯による腕の表皮部分の巻き込みを防止するために、折り返し部材の挿入側の測定部位側を覆うカバー部材を設けた手巻き式の血圧計がある（例えば、特許文献２参照）。
【特許文献１】特許第３２３３４８１号公報
【特許文献２】実開平２−３７６０５号公報